(57)【要約】  トップ部と底部と側壁とを有し、気穴が設けられた瓶体と、前記瓶体のトップ部に取付けられる乳液ポンプとを備える真空包装容器であって、少なくとも１つの袋を有し、袋は、一方側が乳液と接触し、他方側が大気と連通するように周縁を密封的に前記瓶体の内壁に結合する。当該真空包装容器はさらに乳液ポンプの吸込口に接続され、少なくとも一つの開放式ガイド溝を有するガイド棒を備える。本発明の真空包装容器が非常に強い吸取力を有し、乳液を吸取れないまたは完全に吸取れない問題を解消できる。本発明の真空包装容器では、製造精度が高くなくても良いので、低コストの利点がある。また、独特なガイド棒が設置されるので、いずれの場合にも吸込口が塞がないことが確保できる。
2010514639.tif 000002
【特許請求の範囲】
【請求項１】
トップ部と底部と側壁とを有し、気穴が設けられた瓶体と、前記瓶体のトップ部に取付けられる乳液ポンプとを備える真空包装容器であって、少なくとも１つの袋を有し、前記袋は、袋の一方側が乳液と接触し、他方側が大気と連通するように袋の周縁を密封的に前記瓶体の内壁に結合することを特徴とする真空包装容器。
【請求項２】
さらに前記乳液ポンプの吸込口に接続され、少なくとも一つの開放式ガイド溝を有するガイド棒を備えることを特徴とする請求項１に記載の真空包装容器。
【請求項３】
前記ガイド棒が細くて柔らかい長棒であり、その断面が十字形であることを特徴とする請求項２に記載の真空包装容器。
【請求項４】
前記ガイド棒はガイドヘッドを有し、前記ガイドヘッドは従来の吸取管のヘッド部に接続され、ガイド棒と同じ構成であり、且つガイド棒より短いことを特徴とする請求項２に記載の真空包装容器。
【請求項５】
前記ガイド棒は横向きにガイドするように構成されていることを特徴とする請求項２乃至４の何れかに記載の真空包装容器。
【請求項６】
前記袋は開放された第１端と封止された第２端を有し、前記開放された第１端の外側が前記瓶体のトップ部の内壁と接着されることを特徴とする請求項１に記載の真空包装容器。
【請求項７】
前記袋は開放された第１端と封止された第２端を有し、前記開放された第１端の外側が前記瓶体の底部の内壁と接着されることを特徴とする請求項１に記載の真空包装容器。
【請求項８】
前記袋が前記瓶体の縦方向または横方向に伸縮し、前記気穴が前記瓶体の底部に設置されることを特徴とする請求項１に記載の真空包装容器。
【請求項９】
前記袋は折り畳み式の袋であることを特徴とする請求項１に記載の真空包装容器。
【請求項１０】
前記ベース座と前記瓶体とは別体に形成されたものであることを特徴とする請求項１に記載の真空包装容器。
【発明の詳細な説明】
【技術分野】
【０００１】
本発明は真空包装容器に関するものである。
【背景技術】
【０００２】
日用化学分野において、空気と接触することが望まない内容物があるため、包装用の真空包装容器が必要とされている。従来の真空包装容器には主として「底部ピストン式」と「内蔵袋式」の二種類がある。
【０００３】
図１Ａと１Ｂに示されるように、底部ピストン式の真空包装容器は主にカバー１と、乳液ポンプ２と、ピストン３と、瓶４とからなる。カバー１は乳液ポンプ２を覆う。乳液ポンプ２は気圧をバランスするための気穴がないため、空気を瓶４に導入することはない。
【０００４】
ピストン３は瓶４内に上下移動可能に設けられている。瓶４の底部に気穴が設けられている（図示せず）。稼動時、乳液ポンプ２を手で押圧するだけで、瓶内の乳液を吸取ることができる。吸取中に、瓶４の底部に気穴が設けられているため、ピストン３の下側に大気圧があり、それによりピストン３が押圧され上へ移動する。従い、乳液が空気と接触することがなく、且つ瓶４内でピストン３の上方の乳液に真空が発生しないことが確保されている。
【０００５】
このような底部ピストン式の真空包装容器では、真空包装が実現できるものの、まだ問題が沢山ある。まずは各部品に対する精度要求が高い。ピストン３と瓶４の内壁とは摺接するが、両者間の隙間が大きすぎれば、漏洩になる可能性がある。両者間の隙間が小さすぎれば、ピストン３が上へ移動できないことがある。更に、後者の場合、ピストン３の上方に真空ができるため、乳液を吸い取れない又は完全に吸い取れない問題がある。また、乳液ポンプ２が生じた吸取力は乳液とピストン３の質量及びピストン３と瓶４の間の摩擦力に対抗しなければならない。その結果、乳液を吸取るための吸取力は非常に少なくなってしまう。この点でも、乳液を吸い取れない又は完全に吸い取れない問題を招く。また、このような真空包装容器では、内容物が薄い、又は瓶に圧力が与えられた場合、漏洩になりやすい。
【０００６】
内蔵式の真空包装容器は主としてカバーと、乳液ポンプと、袋と瓶からなる。カバー、乳液ポンプと瓶などの部品はいずれも上記底部ピストン式の真空包装容器に類似するものである。当該内蔵式真空包装容器は、上記底部ピストン式の真空包装容器との主な相違点は、柔らかい袋で乳液を収容することにある。当該袋は瓶内に置かれ、袋の口部は乳液ポンプと瓶口の間に挟持される。稼動時、乳液ポンプを手で押圧するだけで、瓶内の乳液を吸取ることができる。吸取中は、瓶の底部に気穴が設けられたため、袋の外は大気圧があり、それにより袋内の乳液はポンプされ、袋の体積をどんどん小さくする。従って、乳液が空気と接触することがなく、且つ袋内の乳液に真空が発生しないことが確保される。
【０００７】
この内蔵袋式の真空包装容器は上記底部ピストン式真空容器と比べ、乳液の吸取はより簡単で、かつ部品に対する精度要求も高くない。しかし、このような真空包装容器を採用するとき、袋を瓶の中に置くのは容易なことではない。また、充填量が足りないことにより、袋の上部に少量な空気が残るので、乳液を吸い取ることは困難になり、空気が乳液と接触する可能性もある。それに、袋の口部が小さいので、充填するのも便利なことではない。更に、必要に応じて乳液ポンプに吸取管を配置することができるものの、吸取管の端部開口が塞ぎやすいので、乳液を吸い取れない又は完全に吸い取れない問題がある。
【発明の概要】
【発明が解決しようとする課題】
【０００８】
本発明は上記の問題を鑑みてなされたものであって、その目的は吸取能力が強く、漏洩のない低コストの真空包装容器を提供することにある。
【課題を解決するための手段】
【０００９】
上記目的を実現するために、本発明は、トップ部と底部と側壁とを有し、気穴が設けられた瓶体と、前記瓶体のトップ部に取付けられる乳液ポンプとを備える真空包装容器であって、少なくとも１つの袋を有し、前記袋は、袋の一方側が乳液と接触し、他方側が大気と連通するように袋の周縁を密封的に前記瓶体の内壁に結合することを特徴とする真空包装容器を提供する。
【００１０】
好ましくは、乳液ポンプの吸込口に接続され、少なくとも一つの開放式ガイド溝を有するガイド棒を備える。
【００１１】
好ましくは、ガイド棒は細くて柔らかい長棒であり、その断面が十字形である。
好ましくは、ガイド棒はガイドヘッドを有し、当該ガイドヘッドは従来の吸取管のヘッド部に接続され、ガイド棒と同じ構成であり、且つガイド棒より短い。
【００１２】
好ましくは、ガイド棒は横向きにガイドするように構成されている。
好ましくは、袋は開放された第１端と封止された第２端を有し、開放された第１端の外側が瓶体のトップ部の内壁と接着される。
【００１３】
好ましくは、袋は開放された第１端と封止された第２端を有し、開放された第１端の外側が瓶体の底部の内壁と接着されている。
【００１４】
好ましくは、袋は瓶体の縦方向または横方向に伸縮し、気穴が前記瓶体の底部に設置される。
【００１５】
好ましくは、袋は折り畳み式の袋である。
好ましくは、ベース座と瓶体とは別体に形成されたものである。
【００１６】
本発明の真空包装容器によれば、乳液ポンプによる吸引力はほとんど乳液の吸取りに用いられ、乳液とピストンの質量やピストンと瓶壁の間の摩擦力と相殺することはない。従って、このような真空包装容器が非常に強い吸取力を有し、乳液を吸取れないまたは完全に吸取れない問題を解消できる。本発明の真空包装容器では、製造精度が高くなくてもいいので、低コストの利点がある。また、充填用の瓶口が比較的に大きく、しかも袋が充填
前に瓶内に置かれたので、容易に充填することができる。
なお、独特なガイド棒が設置されるので、いずれの場合にも塞がないことが確保できる。
【００１７】
また、充填中に少量な空気が袋の上部に残っていても、乳液ポンプとガイド棒の結合部でこれら残りの空気を吸取ることができる。更に、乳液ポンプが転倒されて置かれていても、順調に乳液を吸取ることができる。これに対して、従来の真空包装容器では、吸取管の有無に係わらず、上記効果を実現することはできない。
【図面の簡単な説明】
【００１８】
【図１Ａ】従来の底部ピストン式の真空包装容器の組立図である。
【図１Ｂ】上記底部ピストン式真空包装容器の分解図である。
【図２Ａ】本発明第１実施例による真空包装容器の組立図であり、袋に乳液が充満している状態である。
【図２Ｂ】本発明第１実施例による真空包装容器の組立図であり、袋内の乳液がほとんど吸取られた状態である。
【図２Ｃ】本発明第１実施例による真空包装容器の分解図である。
【図３Ａ】本発明第２実施例による真空包装容器の組立図であり、袋はほとんど真空になる状態である。
【図３Ｂ】本発明第２実施例による真空包装容器の組立図であり、袋に空気が充満している状態である。
【図３Ｃ】本発明第２実施例による真空包装容器の分解図である。
【図４Ａ】本発明第３実施例による真空包装容器の組立図であり、袋に乳液が充満している状態である。
【図４Ｂ】本発明第３実施例による真空包装容器の組立図であり、袋内の乳液がほとんど吸取られた状態である。
【図４Ｃ】本発明第３実施例による真空包装容器の分解図である。
【図５Ａ】本発明第４実施例による真空包装容器の組立図であり、二つの袋の内にはほとんど空気がなく、袋の間には乳液が充満している状態である。
【図５Ｂ】本発明第４実施例による真空包装容器の組立図であり、二つの袋の内には空気が充満していて、袋の間には乳液がほとんど吸取られた状態である。
【図６】本発明に採用されたガイド棒の変形例を示す図である。
【発明を実施するための形態】
【００１９】
以下、添付図面に基づき、本発明の好適な実施例について説明する。各図面に表示された同じ符号は同様または類似の部品を表す。
【００２０】
図２Ａ〜２Ｃは本発明の第１実施例による真空包装容器１０を表示する。当該真空包装容器１０は、開放されたトップ部７１と底部７２を有するとともに、底部を封止し、気穴が設けられたベース座７３が設置された瓶体７と、瓶体７のトップ部７１に取付けられ、気圧をバランスするための気穴を有しない乳液ポンプ２と、乳液ポンプ２を覆うカバー１と、瓶体７のトップ部７１に密封的に結合され開放された第１端５１と封止された第２端５２を有する袋５と、普通の吸取管と同様に乳液ポンプ２の吸込口に接続されたガイド棒６とからなる。
【００２１】
当該第１実施例によれば、開放された第１端５１の外側を瓶体７のトップ部７１の内壁と接着することにより、袋５を密封的に瓶体７の内壁に結合する。この場合、袋５の一方側が乳液と接触し、他方側が大気と連通する。袋５と瓶体７との密封的結合は漏洩を根絶することができるため、乳液が空気と接触することにより乳液ポンプが正しく稼動できないという問題を防止できる。
【００２２】
ガイド棒６が細くて柔らかいプラスチック製長棒である。当該実施例において、ガイド棒６の断面は略十字形に形成されている。言い換えれば、ガイド棒６は四つの突起６１を有し、隣接する突起６１の間に四つの開放式ガイド溝６２が形成されている。当該ガイド棒６１により、吸取られた乳液Ａはガイド棒６１の長手方向の任意の位置からガイド溝６２に入って、普通の吸取管のように端部の開口が塞ぐことなくガイド溝６２に沿って上へと乳液ポンプ２に入る。。また、充填時に少量な空気が袋の上部に残っていても、当該ガイド棒６により、乳液ポンプ２とガイド棒６の結合部でこれらの残り空気を吸取ることができる。また、乳液ポンプが転倒されて置かれていても、順調に乳液を吸取ることができる。それに、袋５がガイド棒６に吸着されていても、袋５とガイド棒６が吸取管に類似する液体通路を形成するから、乳液の吸取りに支障をきたすことはない。従来の真空包装容器では、吸取管の有無に係わらず、上記効果を実現することはできない。
【００２３】
当該第１実施例にも以下の第２、第３実施例にも断面が略十字形のガイド棒６が示され
ているが、ガイド棒の形状は十字形に限らず、例えば三つ又は他の数量の突起でガイド溝を形成してもよいし、棒状物に直接に溝を開設してもよい。要するに、ガイド棒は、少なくとも一つの開放式ガイド溝を有するように構成されれば、乳液を順調にポンプ内に案内することができる。なお、図６に示されるように、上記ガイド棒はガイドヘッド６aを設けてもよい。当該ガイドヘッド６aの構成はガイド棒と同じであるが、長さはガイド棒より短い。当該ガイドヘッド６aを従来の吸取管のヘッド部に接続することができる。当該ガイドヘッドは、ガイド棒に類似したガイド溝を有するため、そして、吸取管ヘッド部の塞ぎを防止できる。更に、ガイドヘッド６aの突起６１aに、乳液が容易にガイドヘッド６aの横方向に沿って流れるように例えば鋸歯形状の横方向のガイド部６１０aを形成してもよい。勿論、ガイド部６１０aは上記ガイド棒６にも適用する。
【００２４】
当該実施例による真空包装容器として、充填時は乳液Ａを開放された第１端５１から袋５に注入するのである。この場合、乳液Ａは袋５の中に収容される。乳液Ａによって袋５が最大容積まで拡張され、乳液Ａは瓶内空間を充満する（図２Ａを参照）。逆に、乳液がどんどん吸取られるに従い、袋５は容積がほとんどゼロになるまで、だんだん小さくなる（図２Ｂを参照）。
【００２５】
図３Ａ〜３Ｃは、本発明の第２実施例による真空包装容器20を表示する。図３Ｃに示されるように、当該実施例の真空包装容器２０は、上記第１実施例との相違点は、袋５の開放された第１端５１は密封的に瓶体７の底部７２に結合されることにある。具体的に、袋５は、開放された第１端５１の外側を瓶体７の底部７２の内壁と接着することによって密封的に瓶体７の内壁に結合される。当該実施例は、上記第１実施例と同様に、袋５の一方側は乳液と接触し、他方側は大気と連通する。
【００２６】
当該実施例による真空包装容器として、充填時は封止された第２端５２から乳液Ａを袋５に注入するのである。この場合、乳液Ａが瓶体７の内壁と接触し、袋５が最小まで圧縮される（図３Ａを参照）。つまり、この場合、袋５は乳液と接触する「容器の底」に相当する。乳液がどんどん吸取られるに従い、袋５は乳液がほとんど排出されるまで、だんだん上昇する（図３Ｂを参照）。
【００２７】
図４Ａ〜４Ｃは本発明の第３実施例による真空包装容器３０を表示する。当該実施例の真空包装容器３０は上記二つの実施例との相違点は、波紋管状の縦方向折り畳み式の袋５aを採用したことにある。この縦方向折り畳み式の袋５aも乳液の収容に用いられ（図４Ａを参照）、乳液が吸取られるに従い、容積がほとんどゼロになるまで、瓶体の縦方向に沿って上へ収縮する（図４Ｂを参照）。
【００２８】
図５Ａと５Ｂは本発明の第４実施例による真空包装容器４０を表示する。当該実施例の真空包装容器４０は上記三つの実施例との相違点は、二つの袋５ｂを採用したことにある。袋５ｂは瓶体の縦方向に沿って設置され、周縁が密封的に瓶体の底部に結合される。その気穴７４は底壁に設置される。
【００２９】
乳液は二つの袋５ｂの間に収容される。乳液がどんどん吸取られるに従い、袋５ｂは乳液がほとんど排出されるまで、だんだん拡大する（図５Ｂを参照）。
【００３０】
以上は本発明の真空包装容器の好ましい実施例であるが、上記記載に基づいて、種々の同等な変形か修正をしてもいい。例えば、袋は横方向折り畳み式であって、瓶体の横方向に沿って収縮してもよい。底座７３は上記のように瓶体７と別体に形成してもよいし、瓶体７と一体的に形成してもよい；カバー１は省略してもよい；袋と瓶体の密封結合は接着のほか、熱圧接などの方式を利用してもよい；袋の数は必要に応じて選択してもよい；ガイド棒の横方向ガイド部は、鋸歯形状を説明したが、乳液が横方向に流れることに寄与す
ればほかの形状であってもよい。本発明の保護範囲は上記各実施例に限定されるものではなく、添付の請求範囲で限定されるものとする。
【図１Ａ】
2010514639.tif 000003
【図１Ｂ】
2010514639.tif 000004
【図２Ａ】
2010514639.tif 000005
【図２Ｂ】
2010514639.tif 000006
【図２Ｃ】
2010514639.tif 000007
【図３Ａ】
2010514639.tif 000008
【図３Ｂ】
2010514639.tif 000009
【図３Ｃ】
2010514639.tif 000010
【図４Ａ】
2010514639.tif 000011
【図４Ｂ】
2010514639.tif 000012
【図４Ｃ】
2010514639.tif 000013
【図５Ａ】
2010514639.tif 000014
【図５Ｂ】
2010514639.tif 000015
【図６】
2010514639.tif 000016
【国際調査報告】
2010514639.tif 000017
2010514639.tif 000018
2010514639.tif 000019
2010514639.tif 000020
2010514639.tif 000021
2010514639.tif 000022